(57)【特許請求の範囲】
【請求項１】
コンクリート腐食成分を有する水を処理する構造物のコンクリート表面の防食シートとこれを貫通する配管との接合部において、配管の周りに防食シートと同材質のシートを巻き付け、巻いたシートの周囲を耐食性の高いベルトで締め付けた後、巻いたシートと防食シートとを熱溶接により溶着したことを特徴とする防食シートを貫通する配管周りの防食方法。
【請求項２】
前記防食シートと同材質のシートを重なり部を有するように一回以上巻き付けることを特徴とする請求項１に記載の防食シートを貫通する配管周りの防食方法。
【請求項３】
前記巻き付けたシートの配管の軸方向先端面において、重なり部及びシートと配管との接触部には充填剤を塗布することを特徴とする請求項２に記載の防食シートを貫通する配管周りの防食方法。
【請求項４】
前記巻き付けたシートの周方向の巻き終り端部を当該シートに溶着して筒状に形成することを特徴とする請求項１〜３のいずれか一項に記載の防食シートを貫通する配管周りの防食方法。
【発明の詳細な説明】
【０００１】
【発明の属する技術分野】
本発明は、工場廃液処理槽や下水処理場等のコンクリート腐食成分を有する水を処理する構造物のコンクリート躯体の防食方法、特にコンクリート躯体の防食シートを貫通する配管周りの防食方法に関するものである。
【０００２】
【従来の技術】
一般に、工場廃液処理槽や下水処理場等といった汚水処理槽がコンクリート躯体で形成される場合、これを水中の酸又はアルカリ成分その他のコンクリート腐食性成分から保護し耐用寿命を確保するために、コンクリート躯体の表面に防食処理を施すことが不可欠とされている。
【０００３】
従来、工場廃液処理槽、下水処理場等、コンクリート腐食性成分を有する水を処理するコンクリート構造物の防食方法には、(1) コンクリート躯体の表面に防食被覆材としてエポキシ樹脂等の樹脂材料を塗布する方法、(2) 樹脂材料で成型した防食シートを防食被覆材としてコンクリート躯体の表面に貼り付ける方法、あるいは、(3) 防食被覆材としての防食シートの裏側に突起を取り付けておきコンクリートの打設によってコンクリート躯体の表面に防食層を形成する方法などがあり、これらによってコンクリート躯体の表面に防食被覆層を形成している。
【０００４】
この防食被覆層を貫通する配管がある場合、一般に、その配管周りの水密性は、接着剤を充填することにより確保される。即ち、図３に示すように、コンクリート躯体１からその表面の防食被覆層２を貫通する配管３がある場合、配管３と防食被覆層２の双方に付着する接着剤４を塗布し、配管３と防食被覆層２との隙間を充填する、という防食方法が取られている。図３は接着の可能な防食被覆材を扱った場合を示しており、配管３とコンクリート躯体１との間に、接着剤４としてエポキシ樹脂等のパテ材を充填し、その後、防食被覆材を塗布して防食被覆層２を形成している。
【０００５】
防食シートとしては防食性が高いところから高密度ポリエチレン製シート等のプラスチックシートが注目されているが、かかる防食シートを扱う場合も、従来は、防食シートを貫通する配管周りに接着剤を充填するという接着方法により、配管周りの水密性の確保を行っている。
【０００６】
【発明が解決しようとする課題】
しかしながら、高密度ポリエチレン製シート等のプラスチックシートには有効な接着剤がない場合が多い。従って、防食被覆材に例えば高密度ポリエチレン系の防食シートを使用した場合、当該高密度ポリエチレン系の防食シートには有効な接着剤がないことから、上記のように接着剤を充填することによる防食方法では、長期的に見た場合、水密性に問題がある。
【０００７】
勿論、高密度ポリエチレン製シート等、接着剤の効かないプラスチックシート材料の場合には、配管を防食被覆層と同材質の配管に変更して、熱溶接すれば、一体化が可能である。しかし、配管の変更ができない場合がある。かかる場合、接着による防食方法を採用すると、接着剤が有効でないために、接着剤とプラスチックシートとの接触面から腐食性の水が長期的には侵入し、確実な防食ができなかった。このため、防食性の高い高密度ポリエチレン製シート等のプラスチックシートによる防食被覆工法を採用する場合の障害となっていた。特に、改修工事では配管類が先に設置されているため、配管周りの防食処理が不確実となる可能性があった。
【０００８】
そこで、本発明の目的は、上記課題を解決し、防食シートを貫通する配管周りの防食方法において、高密度ポリエチレン等のように有効な接着剤がない防食シートを貫通する配管周りの確実な防食を行うことを可能とすることにある。
【０００９】
【課題を解決するための手段】
上記目的を達成するため、本発明による防食シートを貫通する配管周りの防食方法は、汚水処理槽のコンクリート表面の防食シートとこれを貫通する配管との接合部において、配管の周りに防食シートと同材質のシートを巻き付け、巻いたシートの周囲を耐食性の高いベルトで締め付けた後、巻いたシートと防食シートとを熱溶接により溶着したものである。
【００１０】
また、本発明は、前記防食シートと同材質のシートを重なり部分を有するように一回以上巻き付けることが好ましい。
【００１１】
さらに、巻き付けたシートの配管の軸方向先端面において、重なり部及びシートと配管との接触部には、充填剤を塗布することが好ましい。
【００１２】
さらにまた、巻き付けたシートの周方向の巻き終り端部を当該シートに溶着して筒状に形成することもできる。
【００１３】
ここで、本発明によれば、防食シートとして例えばプラスチックシート、特に高密度ポリエチレンシート、ポリプロピレンシート、塩化ビニールシート等を対象とするが、これらのシートに限定されるものではない。
【００１４】
そして、本発明によれば、配管の周りに巻き付けたシートをベルトで締め付けることにより、巻いたシートと配管周囲との間の水密性が確保されると共に、巻いたシートの積層シート間の水密性が確保される。そして、この巻いたシートと防食シートとを熱溶接して溶着しているので、両者間においても高い水密性が確保されて、配管貫通部に腐食性の水が接触することが防止される。
【００１５】
従って、本発明の防食方法によれば、有効な接着剤がない高密度ポリエチレン系の防食シートを使用している場合であっても、水密性および防食性が長期間に亘って保持され、結果的に、防食性の高いシートを用い且つ配管部の止水および防食を確実なものとした長寿命の防食被覆工法が得られる。よって、配管を同材質のものに変更できない場合の配管部の防食方法として極めて有効である。
【００１６】
なお、止水および防食の完全性を目的とする場合は、巻いたシートと配管との間及び巻いたシートの重ね部間にシリコーンシーリング剤やブチルゴム充填剤のような充填剤を充填するとよい。
【００１７】
ここで充填剤としてのシーリング材（コーキング材）としては、シリコーンコーキング材が最も一般的であるが、エポキシ樹脂や、ポリウレタン系、ポリサルファイド系、ブチルゴム系、アクリル系油性コーキング等、公知の種々のシーリング材を使用することができる。
【００１８】
【発明の実施の形態】
以下、本発明を工場廃液処理槽に適用した場合を例にして説明する。
【００１９】
図１において、工場廃液処理槽を構成するコンクリート躯体１のコンクリート表面には、高密度ポリエチレン製の防食シート５が配設されており、金属製の配管３がこの防食シート５を貫通して設けられている。
【００２０】
この工場廃液処理槽のコンクリート躯体１の防食処理を、その防食シート５を貫通する配管３周りについて行う。すなわち、まず、配管３の周りにシリコーンシーリング剤又はブチルゴム充填剤などの防食性の高い充填剤を塗布する。
【００２１】
次に、配管３の周りに防食シート５と同材質の高密度ポリエチレン製のシート６を一回以上、ここでは１回半以上巻き付ける。ここで高密度ポリエチレン製のシート６の重なり部にも、これの配管３の軸方向先端面において、かかる重なり部の隙間を埋めるようにして、シリコーンシーリング剤又はブチルゴム充填剤などの防食性の高い充填剤を塗布するとともに、巻き付けたシート６の前記先端面と配管３の外周面との接触部の隙間にも、同様に充填剤を塗布する。。
【００２２】
次いで、巻き付けたシート６の上から、耐食性の高い材質、ここではステンレスから成るベルト７で、シート６の周囲を締め付ける。このベルト７による締め付けは多段に行うのが高い水密性を確保する上で好ましく、この実施形態の場合、配管３の軸方向２箇所において、つまり２段にベルト７で締め付ける。締め付けは、ここでは図２に示すように、ベルト７の周方向端部同士を連結するネジ８によって行う。
【００２３】
そして、巻いたシート６の軸方向一端側、つまり防食シート５に対接する側を、熱溶接により防食シート５に溶着する。図１中、９は巻いたシート６と防食シート５とが熱溶接により溶着された熱溶接部を示す。この熱溶接は、巻いたシート６の軸方向一端につきその全周に亘って行い、巻いたシート６と防食シート５との水密性を確保する。また、巻いたシート６の周方向の巻き終わり端部を下側のシート６の上に熱溶接により溶着し、これにより、巻いたシート６の形状を、その周面が水密に接合された連続面から成る筒状に形成し、巻いたシート６の端部の隙間から配管貫通部に腐食性の水が接触するのを防止する。
【００２４】
上記実施形態では、配管３の回りに防食性の高い充填剤を塗布してから、配管３の周りに防食シート５と同材質のシート６を巻き付けたが、ベルト７によるシート６の締め付けにより十分な水密性が確保される場合など、事情によっては充填剤を塗布せずに、シート６を巻き付けることもできる。同様に、高密度ポリエチレン製のシート６の重なり部に塗布している充填剤も、事情により省略することができる。
【００２５】
上記実施形態の防食方法によれば、配管の周りに巻き付けたシート６をベルト７で締め付けることにより、巻いたシート６と配管３周囲との間の水密性及び巻いたシートの積層シート間の水密性が確保されると共に、巻いたシート６と防食シート５との熱溶接により両者間の高い水密性が確保されるため、配管貫通部に腐食性の水が接触することを有効に防止することができる。
【００２６】
従って、有効な接着剤がない高密度ポリエチレン系の防食シートを使用している場合であっても、水密性および防食性が長期間に亘って保持され、結果的に、防食性の高いシートを用い且つ配管部の止水および防食を確実なものとした長寿命の防食被覆工法が得られる。よって、配管を同材質のものに変更できない場合の配管部の防食方法として極めて有効である。
【００２７】
従来、配管と防食シートとを溶接により一体化する場合には配管と防食シートとを同材質にする必要があり、また、接着剤により配管周りの水密性を確保する場合には、配管材料、防食シートを接着の効く材料に変更する必要があったが、本防食被覆工法を採用することにより、配管材料、防食シートの種類に係わらず、配管部の確実な防食が可能となる。
【００２８】
また、上記実施形態の場合、ベルト７は耐食性が高いことからステンレス製としているが、他の耐食性の高い材質、例えば金属製又はプラスチック製のベルトを用いることもできる。
【００２９】
【発明の効果】
以上説明したように本発明によれば、コンクリート腐食成分を有する水を処理する構造物のコンクリート表面の防食シートとこれを貫通する配管との接合部において、配管の周りに防食シートと同材質のシートを巻き付け、巻いたシートの周囲を耐食性の高いベルトで締め付けた後、巻いたシートと防食シートとを熱溶接により溶着したので、配管の周りに巻き付けたシートをベルトで締め付けることにより、巻いたシートと配管周囲との間の水密性及び巻いたシートの積層シート間の水密性が確保されると共に、巻いたシートと防食シートとの熱溶接により両者間の高い水密性が確保されるため、配管貫通部に腐食性の水が接触することを有効に防止することができる。
【００３０】
従って、有効な接着剤がない例えば高密度ポリエチレン系の防食シートを使用している場合であっても、水密性および防食性が長期間に亘って保持される。このため、防食性の高いシートを用い且つ配管部の止水および防食を確実なものとした長寿命の防食被覆が得られる。よって、配管を同材質のものに変更できない場合でも、従来の接着剤により配管周りの水密性を確保する場合のように、配管材料、防食シートを接着の効く材料に変更する必要はなく、配管材料、防食シートの種類に係わらず、配管部の確実な防食が可能となる。
【図面の簡単な説明】
【図１】本発明の防食シートを貫通する配管周りの防食方法を示した図である。
【図２】本発明の防食方法における配管周りを示した図１のＩＩ−ＩＩ断面図である。
【図３】従来の接着剤による配管周りの防食方法を示した図である。
【符号の説明】
１  コンクリート躯体
２  防食被覆層
３  配管
４  接着剤
５  防食シート
６  シート
７  ベルト
８  ネジ
９  熱溶接部
【図１】
0004002652.tif 000002
【図２】
0004002652.tif 000003
【図３】
0004002652.tif 000004